(57)【要約】
【課題】段差のある床面や階段等の壁面に対しても自在に設置し得ると共に、軽量なため、取り付け、取り外し、及び搬送が容易な壁面防護材を提供する。
【解決手段】長方形の長手方向における一方の端部近傍に長手方向に直交する曲折部2を有する中板1を、緩衝部材にて形成した緩衝袋体3にて包み込んで曲折部１ｂを折り曲げるだけで壁面に立設することができる壁面防護材を形成し、前記袋体3の長辺にその相互間を長手方向に自在にずらして連結し得る連結部材8,10を設けて、袋体3の相互間を階段状にずらして連結することを可能にする。
【選択図】図３
0003100051.tif 000002
【実用新案登録請求の範囲】
【請求項１】
　細長の矩形状板の下端部に該板の長手方向に直交するＶ字折溝を形成して曲折部片を形成した強靭かつ軽量の素材で形成される中板と、該中板の形状と同形で前記中板を包み込み、上方に開口部が形成されている緩衝性のある素材で形成される緩衝袋体と、該緩衝袋体の長辺側の片側に沿って接合部材を配設するとともに、他方側の裏面に前記接合部材と接合する複数の接合片からなる連結部材を取付けてなり、
　前記緩衝袋体同士を順次位置をずらして突き合わせて、前記接合片を前記接合部に接合して固定し、かつ前記曲折部片を屈曲させて配置することを特徴とする壁面防護材。
【請求項２】
　前記連結部材を構成する接合部材と接合片がフックとループをかみ合わせた方式から成ることを特徴とする請求項1記載の壁面防護材。
【考案の詳細な説明】
【技術分野】
【０００１】
　本考案は、引越しや家具などの移動の際に室内壁面、特に階段の壁面の損傷を防護する壁面防護材に関する。
【背景技術】
【０００２】
　従来のから、引越しや家具などの移動の際に室内壁面、特に階段の壁面は、段差が連続するため、傾斜した壁面の損傷を防護することは大変なことであった。壁面防護材には、（１）発泡材、板紙、プラ段、などを任意に切り、粘着テープで貼り付けて養生する切り貼り方式や、（２）ステップ毎に自立型独立プラ段を壁面に沿って置く方式、あるいは（３）プラ段自体をそのまま、または任意の形状にカットして壁面に粘着テープで貼り付ける方式などがある。その他に、例えば特許文献１及び特許文献２に示される壁面防護材が公知である。
【０００３】
　前記特許文献１に示される壁面防護材は、四辺形に形成され、表面に緩衝部材が張設された上下一対の硬質保護板からなり、上部硬質保護板の上縁及び下部硬質保護板の下縁に滑り止め材が装着され、上下の硬質保護板が重なり合う面に着脱自在な固着部材が設けられている。この壁面防護材は上部硬質保護板の上縁を天井面に当接させ、下部硬質保護板の下縁を床面に当接させた際に上下の保護板の一部が重なり合う面を固着部材にて固着することにより壁面に立設することができるものである。
　前記特許文献２の考案は、表面に緩衝部材が張設された方形の防護板の縦縁を連結部材にて連結し、下縁に滑り止め部材を装着して壁面に立てかけるものである。
【０００４】
　しかしながら、前記従来の壁面防護材における（１）の場合は、切り貼りに手間がかかり、剥離時にクロスを損傷する恐れがある。（２）の場合は、プラ段の角部にてクロスを損傷する恐れがあり、汚れやすく、また汚れを落としにくいのでそのまま使用すると壁面を汚す。（３）の場合は、プラ段のカットに手間がかかり、カットした端材の再利用ができない、また角部にてクロスを損傷しやすく、テープ剥離時にもクロスを損傷しやすいなどの問題がある。
【０００５】
　また、特許文献１の場合は、天井面と床面とに突き当てて立設する方式であるので階段など段差のある部分には取り付けにくい。
【０００６】
　特許文献２の場合は、壁面に対して斜めに立てかける方式であるので通路の幅が狭くなり、引越しなどで大型の家財道具などが接触しやすいなどの問題がある。
【特許文献１】特開２０００−１３６６３６号公報
【特許文献２】特開２０００−３２００４５号公報
【考案の開示】
【考案が解決しようとする課題】
【０００７】
　よって本考案は上記従来の問題点に鑑みて考案されたものであり、段差のある階段等の壁面に対しても自在に設置し得ると共に、取り付け、取り外し、及び搬送が容易な壁面防護材の提供を目的とするものである。
【課題を解決するための手段】
【０００８】
　本考案の壁面防護材に係る請求項１は、細長の矩形状板の下端部に該板の長手方向に直交するＶ字折溝を形成して曲折部片を形成した強靭かつ軽量の素材で形成される中板と、該中板の形状と同形で前記中板を包み込み、上方に開口部が形成されている緩衝性のある素材で形成される緩衝袋体と、該緩衝袋体の長辺側の片側に沿って接合部材を配設するとともに、他方側の裏面に前記接合部材と接合する複数の接合片戸からなる連結部材を取付けてなり、前記緩衝袋体同士を順次位置をずらして突き合わせて、前記接合片を前記接合部に接合して固定し、かつ前記曲折部片を屈曲させて配置することを特徴とする。
　請求項２の壁面防護材は、前記連結部材を構成する接合部材と接合片がフックとループをかみ合わせた方式から成ることを特徴とする。
【考案の効果】
【０００９】
　本考案の壁面防護材によれば、細長の矩形状板の緩衝袋体同士を階段の段差に合わせて、段差を付けて付合せ、接合部材と接合片で接合するので、段差に対応して壁面を保護することができる。また、壁面防護材は、緩衝袋体の中板が強靭で軽量な素材で形成されているため、緩衝袋対同士を接合するだけでも、中板の作用で壁面に立設できる。この際に、中板の下端部付近に設けられたＶ字折溝で屈曲して曲折部片を延ばすと立設が更に容易となる。
　更に、緩衝袋体の長辺側における接合部材は長手方向に連続して形成されているのに対して接合片は反対側裏面に間隔を置いて取着されているので、段差の高さに応じてた対応が可能である。また、使用後は、接合部材と接合片を分離すれは収納が容易となり、搬送が容易となるばかりでなく、管理収納に場所をとらない。
【００１０】
　また、壁面防護材は、緩衝袋体の中板が強靭で軽量な素材で形成されているるため、壁面に立設できるだけでなく緩衝部材が壁面を損傷するのを防止する。緩衝袋体は、中板を抜き取ればクリーニングすることができるので常に清潔を保つことが可能である。これにより汚れた袋体にて壁面を汚す恐れがない。
【考案を実施するための最良の形態】
【００１１】
　長方形の長手方向における一方の下端部近傍のＶ字溝を折り曲げて屈曲部材を簡単に立設し、かつ複数の壁面防護材の長辺側を階段の段差に応じて段差を付けて連結及び分離することが可能であるる。
【実施例】
【００１２】
　図1から図7は,本考案の実施例に係り、図1(ａ)は中板の正面図、図1(ｂ)は中板の側面図、図2は中板を包む袋体の正面図、図3は袋体の裏面図、図4は連結部材の一部拡大図、図5は壁面防護材の平面的連結を示す正面図、図6は壁面防護材の立設状態を示す側面図、図7は壁面防護材の段状連結を示す正面図である。
【００１３】
　本考案に係る壁面防護材を構成する中板1はＰＰ樹脂材を段ボール上に加工した表面硬質な強靭で軽量に形成されたものである。図1に示すように、中板1は本実施例では長さ1800mm、幅250mmの細長い矩形状の形状にて、その下端部近傍に長手方向に直行するＶ字折溝２を形設し、該溝２上部を防護中板１ａとし、下端部を曲折部片１ｂとする。曲折部１ｂは、１５０mm程度か足場として好適である。さらに、曲折部片１ｂの下面には、滑り防止材を取り付けると滑らなくなり、より効果を発生する。
【００１４】
　一方、緩衝袋体３は、前記中板１を包み込む形態で、ＰＰ不織布或いは織り布からなる緩衝部材で構成され、図2及び3に示すように、中板1と同形の細長い矩形状の包み込み得る長方形に形成される。この緩衝袋体3は一端が閉止され、他端に中板1を挿入する開口部4が設けられ、開口部4には閉止片5が設けられている。そして閉止片5と閉止片5の対向面には雄雌一対の接合部材6a,6bが設けられている。この接合部材6a,6bはその相互間を固定することにより中板1を包み込んで一体化した壁面防護材が形成される。
【００１５】
　また、連結部材８は接合部材８ａと接合片８ｂがフックとループをかみ合わせた方式から成る。図2に示すように、壁面防護材を連結するための連結部材8として一方の長辺側7aに沿って長さ1550mmの縦方向の接合部材8aが設けられる。他方の長辺側7bの裏面における複数箇所、例えば３箇所に、図４に示す帯状の接合片8bの一端が固定されている。この両連結部材8a,8bの相互はフックとループをかみ合わせに形成され、複数の壁面防護材の長辺側7a,7bの相互間を長手方向に階段の段差に応じた高さにずらして自在に連結することができるように構成されている。
【００１６】
　次に、前記構成の壁面防護材の作用について説明する。
　先ず、緩衝袋体3の開口部4から中板1を挿入して閉止片5の連結部材6a,6bを固定して閉止状態にする。これにより単体の壁面防護材Aが得られる。また広い壁面を防護するときはこの単体の防護材Ａの複数本を用いてそれぞれの長辺7a,7b相互間を連結部材8a,8bにて連結して使用する。この連結に際して、床面が平面の場合は図5に示すように曲折部１ｂを一方の側に揃えると同時に端部を一直線上に揃えて連結部材8a,8bにより連結する。これにより幅の広い壁面防護材が形成される。そしてこの壁面防護材は、図6に示すように、曲折部１ｂを手前側に折り曲げることにより簡単に壁面11に沿って立設することが可能となる。
【００１７】
　また床面に段差がある場合、又は階段などの場合は、図7に示すように、段差に対応して壁面防護材の長辺7a,7b相互間を長手方向にずらして連結部材8a,8bにて固定することにより段差に対応した広い壁面防護材を形成することができる。この壁面防護材Ａは前記と同様に下部の曲折部2を手前側に折り曲げることによりに立設することができる。
【００１８】
　上記の通り複数の壁面防護材Aを連結して使用した後は、連結部材8a,8bを外して単体にすることにより搬送や収納の取り扱いが容易になる。また袋体3が汚れた場合は袋体3から中板1を取り出すことにより、クリーニングが可能となる。
【図面の簡単な説明】
【００１９】
【図１】（ａ）は中板の正面図、（ｂ）は中板の側面図。
【図２】中板を包む袋体の正面図。
【図３】袋体の裏面図。
【図４】連結部材の一部拡大図である。
【図５】壁面防護材の平面的連結を示す正面図。
【図６】壁面防護材の立設状態を示す側面図。
【図７】壁面防護材の段状連結を示す正面図。
【符号の説明】
【００２０】
　1…中板
　2…Ｖ字折溝
　3…緩衝袋体
　4…開口部
　5…閉止片
　７…長辺側
　8…連結部材
　1１…壁面
　１２…階段
【図１】
0003100051.tif 000003
【図２】
0003100051.tif 000004
【図３】
0003100051.tif 000005
【図４】
0003100051.tif 000006
【図５】
0003100051.tif 000007
【図６】
0003100051.tif 000008
【図７】
0003100051.tif 000009